(57)【要約】【課題】ペン先とペン芯を装着した内部材に先軸筒を被せ、該先軸筒の後端に後軸筒を着脱自在に螺着した構造の万年筆において、従来の構造を変えることなく、簡単な構造で、内部材や先軸筒等の各部材を傷つけたり破損したりする心配もなく、先軸筒における先軸筒と内部材等の各部材間との当接部部から進入したインキが、後軸筒と接続する先軸筒の後方部分から滲み出ないようにする。【解決手段】先軸筒５の内壁面５ｂに対向した内部材４の外壁面４ａに、リング状に形成した毛細管現象を生じるインキ収容溝２０を軸心方向に４列並列にして設ける。【選択図】図２
2008221550.tif 000002
【特許請求の範囲】
【請求項１】
ペン先とペン芯を装着した内部材に先軸筒を被せ、該先軸筒の後端に後軸筒を着脱自在に螺着してなる万年筆において、内部材と先軸筒とが対向して接する内部材の外壁面または／および先軸筒の内壁面にリング状の毛細管現象を生じるインキ収容溝を設けたことを特徴とする万年筆。
【請求項２】
前記先軸筒の先端にリング状の先金輪を装着してなる、請求項１に記載の万年筆。
【請求項３】
前記インキ収容溝を、軸心方向に複数並列させたことを特徴とする、請求項１または２に記載の万年筆。
【請求項４】
前記先金輪と先軸筒との間に、先金輪と先軸筒と内部材との各々の壁面に圧接するように、弾性体からなるリング状のシール部材を装着してなる、請求項２または３に記載の万年筆。
【発明の詳細な説明】
【技術分野】
【０００１】
本発明は、万年筆に関し、詳しくはペン先とペン芯を装着した内部材に先軸筒を被せ、該先軸筒の後端に後軸筒を着脱自在に螺着した構造の万年筆に関する。
【背景技術】
【０００２】
従来、ペン先とペン芯を装着した内部材に先軸筒を被せ、該前記先軸筒の後端に金属コネクターを配する等して先軸筒と後軸筒を着脱自在に螺着した構造の万年筆や、さらには前記先軸筒の先端に先金輪を装着した構造の万年筆については知られている。ところで、万年筆においては、ペン芯や内部材の後方に装着したインキ筒内にインキを吸入するために、インキ壜内に収容されたインキにペン先を漬けてインキを吸入するが、その際に、先軸筒の先端部分や先軸筒の先端に装着した先金輪あたりまでインキに漬けてしまって、インキを吸入しているのが現実であり、内部材と先軸筒の先端がインキで汚れるという事実がある。また、ペン芯や内部材の後方にインキカートリッジを装着するタイプの万年筆においても、ペン芯からペン先周りに流出してきたインキで、キャップの着脱操作等により内部材と先軸筒の先端がインキで汚れるという事実がある。
【０００３】
こうしたことから、内部材と先軸筒との当接部からインキが流入し、そのインキが先軸筒と後軸筒とが螺着する構造部分から軸筒の表面に滲み出てきて、軸筒の表面をインキで汚すという問題がある。図５を用いて詳述すると、従来の万年筆５１は、ペン先２とペン芯３を装着した内部材４に先軸筒（首軸とも呼ばれている）５を被せた構造で、該先軸筒５の後端に金属コネクター６を配し、該金属コネクター６の先端部分６ａを内部材４に螺着７し接着剤により固着してある、内部材４に形成した外方に突出する段部８に先軸筒５に形成した内方に突出する係止段部９を係止し、先軸筒５の後端面５ａを金属コネクター６の鍔部１０に当接することで、先軸筒５を内部材４と金属コネクター６とで挟持して設けてある。後軸筒１１は金属コネクター６に螺着１２して着脱自在としてある。先軸筒５の先端には、先金輪１３を内部材４に螺着し接着剤により固着して設けてある。
【０００４】
前記の構造により、先金輪１３と内部材４の当接部１４の先端部分（矢印Ｐで示した部分）とか、先金輪１３と先軸筒５の当接部１５の表面側部分（矢印Ｑで示した部分）よりインキが進入し、時間の経過とともにインキが後軸筒１１側に流入していき、進入したインキが先軸筒５の後端面５ａと金属コネクター６の鍔部１０の当接部１６の表面側部分（矢印Ｒで示した部分）より外部に前記インキが滲み出て、使用時に手や指をインキで汚したり、またはキャップ（図示せず）を被せる等した際にキャップ内をインキで汚したり、さらにそのインキがキャップから先軸筒に付着したりして先軸筒を汚してしまうという問題がある。
【０００５】
上記問題を解決するものとして、先金輪と内部材との間に弾性体からなるリング状のシールを介在することによりインキの進入を阻止する技術が実公平７−１２０５４号公報により開示されている。しかし、現実問題として、前記弾性体からなるシールも射出成形により形成されており寸法のばらつきが大きい。シールの形状寸法がシールを収納する凹部溝の形状とうまく一致しないと、例えばシールの形状が大きすぎると、図６に示すように、万年筆２０１は、シール１７が装着した部分の先金輪１８の部分が内部材４より前方へ若干突出した状態になり、先金輪１８と先軸筒との当接部１５における隙間の距離が大きくなり、製品としての価値を下げてしまう恐れがある。また、シール１７を圧着するためのシールの変形量が多くなり、各部材への過剰な応力がかかり、各部材に変形や割れが生じたりしてしまう。また、例えばシールの形状が小さすぎると、シールの各部材への圧着が弱く、インキ流入防止効果を充分に発揮できないという問題がある。
【特許文献１】実公平７−１２０５４号公報
【発明の開示】
【発明が解決しようとする課題】
【０００６】
本発明は、ペン先とペン芯を装着した内部材に先軸筒を被せ、該先軸筒の後端に後軸筒を着脱自在に螺着した構造の万年筆において、従来の構造を変えることなく、簡単な構造で、内部材や先軸筒等の各部材を傷つけたり破損したりする心配もなく、先軸筒における先軸筒と内部材等の各部材間との当接部から進入したインキが、後軸筒と接続する先軸筒の後方部分から滲み出ないようにするものである。
【課題を解決するための手段】
【０００７】
本発明は、
「１．ペン先とペン芯を装着した内部材に先軸筒を被せ、該先軸筒の後端に後軸筒を着脱自在に螺着してなる万年筆において、内部材と先軸筒とが対向して接する内部材の外壁面または／および先軸筒の内壁面にリング状の毛細管現象を生じるインキ収容溝を設けたことを特徴とする万年筆。
２．前記先軸筒の先端にリング状の先金輪を装着してなる、前記１項に記載の万年筆。
３．前記インキ収容溝を、軸心方向に複数並列させたことを特徴とする、前記１項または２項に記載の万年筆。
４．前記先金輪と先軸筒との間に、先金輪と先軸筒と内部材との各々の壁面に圧接するように、弾性体からなるリング状のシール部材を装着してなる、前記２項または３項に記載の万年筆。」
である。
【０００８】
前記インキ収容溝は、形状や大きさについては特に限定されず、毛細管現象によりインキ溝に収容したインキを保持するものであれば良い。
【０００９】
本発明は、ペン先とペン芯を装着した内部材に先軸筒を被せ、さらには先軸筒の先端に先金輪を装着し、先軸筒の後端に後軸筒を着脱自在に螺着した構造の万年筆に係るものであるが、内部材と先軸筒は螺着によりまたは接着により、または前述したよう様に、先軸筒の後端に配した金属コネクターと内部材都の間に先軸筒を挟持する等して各部材を取付けた構造のものでも良い。また先金輪は、先軸筒の先端に挿着し接着により、または内部材と先金輪を螺着し接着により取付けた構造のものでも良い。また、金属コネクターは先軸筒にあるいは後軸筒のどちらに接着剤等により固着した構造のものでも良い。
【発明の効果】
【００１０】
本発明の万年筆は前記したような構造なので、内部材や先軸筒等の各部材を傷つけたり破損したりする心配もなく、先軸筒における先軸筒と内部材等の各部材間との当接部から進入したインキは、インキ収容溝に溜り、時間をかけて蒸発していき、前記進入したインキが、金属コネクターの先軸筒の後端面と接する部分の当接段部と先軸筒の後端面との当接部から滲み出ることがない。
【００１１】
また本発明の万年筆は、従来の構造のものにおいて、各部材の位置関係や形状を変更するものではないので、製造コストや組立コストを増加することなく、従来の万年筆の構造をそのまま利用でき、コスト面で多大な利点がある。
【００１２】
請求項４に係る発明においては、シール部材を配設することで、先軸筒と内部材の当接部や、あるいは先軸筒の先端に装着した先金輪と内部材の当接部や、あるいは軸筒の先端に装着した先金輪と先軸筒の当接部から進入し難くなるので、より顕著に、金属コネクターの先軸筒の後端面と接する部分の当接段部と先軸筒の後端面との当接部からインキが滲み出ることがなくなる。因みに、シール部材を用いた際の問題点を前述したが、本発明は、インキの進入を防止することをもって前記した目的を達成するものではないので、前記したようなシールの形状寸法とシール部材を収納する凹部溝の形状寸法の関係を必要としないので、前記したような諸問題は起こり難い。
【発明を実施するための最良の形態】
【００１３】
本発明は、従来の万年筆の構造における内部材と先軸筒とが対向して接する内部材または／および先軸筒の壁面に、リング状の毛細管現象を生じるインキ収容溝を設け、このインキ収容溝に流入したインキを溜めて軸筒の外部に流出しないようにするものである。
【実施例】
【００１４】
以下、実施例を図面を用いて説明するが、図１は、本発明の第１の実施例を示す、万年筆の要部を断面とした縦断面図である。図２は、図１における要部の拡大断面図である。図３は、本発明の第２の実施例を示す、万年筆の要部を断面としたの縦断面図である。図４は、図２おける要部の拡大断面図である。図５は、従来の万年筆を示す、要部を断面とした縦断面図である。図６は、従来の他の方式を施した万年筆の欠点を示すための説明図である。同じ部材、同じ箇所を示すものには同じ符号を付してある。
【００１５】
図１および図２に示す第１の実施例の万年筆１は、従来の万年筆の構造と同様に、ペン先２とペン芯３を装着した内部材４に先軸筒（首軸とも呼ばれている）５を被せた構造で、該先軸筒５の後端に金属コネクター６を配し、該金属コネクター６の先端部分６ａを内部材４に螺着７し接着剤により固着してある、内部材４に形成した外方に突出する段部８に先軸筒５に形成した内方に突出する係止段部９を係止し、先軸筒５の後端面５ａを金属コネクター６の鍔部１０に当接することで、先軸筒５を内部材４と金属コネクター６とで挟持して設けてある。後軸筒１１は金属コネクター６に螺着１２して着脱自在としてある。後軸筒１１内には、内部材４の後方に連接したインキ収容筒１８を収容してある。
【００１６】
図２に示すように、内部材４の外壁面４ａには先軸筒５の内壁面５ａで被覆されているが、内部材４の外壁面４ａと先軸筒５の内壁面５ｂとの当接部１９は、密接状態で当接しているとは言えず、隙間が生じてしまう。内部材４の外壁面４ａには、リング状に形成した毛細管現象を生じるインキ収容溝２０を軸心方向に４列並列にして設けてあり、前記当接部１９に進入したインキ（図示せず）は、前記インキ収容溝２０に収容される。このことより、従来のように、金属コネクター６の先軸筒５の後端面５ａと接する鍔部１０との当接部１６からのインキの滲み出を防止することができる。
【００１７】
図３および図４に示す第２の実施例の万年筆５１は、前記第１の実施例の万年筆１と同様に、ペン先２とペン芯３を装着した内部材４に先軸筒５を被せた構造で、先軸筒５を内部材４と金属コネクター６とで挟持して設けてある。前記第１の実施例の万年筆１との違いは、従来の万年筆の構造に見られるように、先軸筒５の先端に、先金輪１３を内部材４に螺着し接着剤により固着して設けてある点であり、その他は同様の構造としてある。前記第１の実施例の万年筆１と同様に、内部材４の外壁面４ａに、リング状に形成した毛細管現象を生じるインキ収容溝２０を軸心方向に４列並列にして設けてある。
【００１８】
また、前記先金輪１３と先軸筒５との間に、先金輪１３と先軸筒５と内部材４との各々の壁面に圧接する、弾性体からなるリング状のシール部材２１を装着してある。
【００１９】
上記構造により、内部材４の外壁面４ａと先軸筒５の内壁面５ａとの当接部分１４や、先金輪１３と先軸筒５の当接部分１５の当接部から、インキ（図示せず）が進入し難く、インキが進入しても前記インキ収容溝２０に収容されるので、従来のように、金属コネクター６の先軸筒５の後端面５ｂと接する鍔部１０との当接部１６からのインキの滲み出を防止することができる。
【産業上の利用可能性】
【００２０】
本発明の万年筆は、従来より知られている、ペン先とペン芯を装着した内部材に先軸筒を被せ、該先軸筒の後端に後軸筒を着脱自在に螺着した構造の万年筆に対するものであるが、前記構造を有する筆記具なら、ペン先を軸筒の中央部に位置させたマーカー等の筆記具にも利用可能である。
【図面の簡単な説明】
【００２１】
【図１】本発明の第１の実施例を示す、万年筆の要部を断面とした縦断面図である。
【図２】図１における要部の拡大断面図である。
【図３】本発明の第２の実施例を示す、万年筆の要部を断面としたの縦断面図である。
【図４】図２おける要部の拡大断面図である。
【図５】従来の万年筆を示す、要部を断面とした縦断面図である。
【図６】従来の他の方式を施した万年筆の欠点を示すための説明図である。
【符号の説明】
【００２２】
１、５１  万年筆
２  ペン先
３  ペン芯
４  内部材
４ａ  外壁面
５  先軸筒
５ｂ  内壁面
１３  先金輪
２０  インキ収容溝
２１  シール部材
【図１】
2008221550.tif 000003
【図２】
2008221550.tif 000004
【図３】
2008221550.tif 000005
【図４】
2008221550.tif 000006
【図５】
2008221550.tif 000007
【図６】
2008221550.tif 000008